(57)【特許請求の範囲】
【請求項１】
カメラ本体の撮像面に被写体像を結像する光学系と、前記光学系の焦点距離を所定倍に変換するエクステンダとからなり、該エクステンダの構成部品を覆うエクステンダ筐体部を備えたレンズ鏡胴と、
該レンズ鏡胴に設置され、前記光学系を駆動するために所定の外部機器との間で信号伝送を行うためのコネクタを備えた駆動ユニットと、
からなるレンズ装置に取り付けられる無線アダプタであって、
前記無線アダプタは、前記駆動ユニットの前記コネクタに接続され、前記駆動ユニットとの間で信号伝送を行うと共に、前記外部機器との間で無線通信を介して信号伝送を行うことにより、前記駆動ユニットと前記外部機器との信号伝送を中継し、
前記無線アダプタは、前記エクステンダ筐体部に形成された開口を塞ぐ蓋部材と略同一構造の蓋部と、前記無線通信を行う無線装置とからなり、
前記蓋部を前記蓋部材の代わりに前記エクステンダ筐体部に取り付けることによって、前記蓋部が前記開口を塞ぐと共に、前記無線装置が前記エクステンダ筐体部の前記開口の周辺部に配置されるようにした、
ことを特徴とするレンズ装置に取り付けられる無線アダプタ。
【請求項２】
前記無線アダプタの構成部品は、前記エクステンダ筐体部の内部となる前記蓋部の裏面側に配備され、前記蓋部は、前記無線通信により送受信される無線信号を透過する性質の部材で形成されることを特徴とする請求項１のレンズ装置に取り付けられる無線アダプタ。
【請求項３】
前記無線アダプタの構成部品は、前記エクステンダ筐体部の外部となる前記蓋部の表面側に配備されると共に、全体が筐体で覆われ、該筐体の少なくとも一部が前記無線通信により送受信される無線信号を透過する性質の部材で形成されることを特徴とする請求項１のレンズ装置に取り付けられる無線アダプタ。
【発明の詳細な説明】
【技術分野】
【０００１】
本発明はレンズ装置に取り付けられる無線アダプタに係り、特にレンズ装置の駆動ユニットと外部機器と間の信号伝送を無線により行うことを可能にするレンズ装置に取り付けられる無線アダプタに関する。
【背景技術】
【０００２】
放送用又は業務用として使用されるテレビカメラとして、携帯可能なＥＮＧ(Electric News Gathering)カメラやハンディカメラが知られており、このようなテレビカメラは、三脚、ペデスタルドリー等の架台に支持された状態で使用される場合と、肩担ぎや手持ち等によってカメラマンが直接支持した状態で使用される場合がある。また、テレビカメラが架台に支持された状態で使用される場合、遠隔操作用のコントローラが使用されることが多い。例えば、架台から延設されているパン／チルト棒の先端にフォーカスデマンドやズームデマンド等のコントローラが取り付けられ、それらのコントローラがカメラ本体に装着されたレンズ装置にケーブルによって電気的に接続される。これによって、カメラマンは、パン／チルト棒によるテレビカメラのパン／チルト操作と同時にコントローラの操作を行うことができ、そのコントローラの操作によってレンズ装置における光学系のフォーカス、ズーム等のレンズ操作を行うことができる。
【０００３】
また、上記のようにテレビカメラを架台に設置して撮影を行っている状況において、急にカメラマンがテレビカメラを持って撮影しなければならないという場合がある。この場合に、架台に設置したテレビカメラのレンズ装置と、コントローラとをケーブルで接続していると、レンズ装置からケーブルを取り外す作業が必要となり、テレビカメラを架台から迅速に取り外して持ち運ぶことができないという問題があった。
【０００４】
そこで、特許文献１では、レンズ装置とコントローラとの間の信号のやり取りを無線通信で行うことにより、レンズ装置とコントローラとの間を無線アダプタを介してワイヤレス接続にできるようにしたレンズシステムが提案されている。これによれば、テレビカメラを架台から取り外す際にケーブルを取り外す作業の手間や時間が削減され、即座にテレビカメラを持ち運ぶことができる。
【先行技術文献】
【特許文献】
【０００５】
【特許文献１】特開２００７−３１０３０３号公報
【発明の概要】
【発明が解決しようとする課題】
【０００６】
ところで、従来では一般に、レンズ装置とコントローラ等の外部機器との間はケーブルで接続されるようになっており、無線通信の機能を内蔵していない。そのため、特許文献１のようにレンズ装置とコントローラとの間をワイヤレス接続する場合には、レンズ装置と外部機器の各々の信号入出力端子（ケーブル接続端子）に無線通信のための無線アダプタ（ワイヤレスアダプタ）をケーブルで接続し、アダプタ間で無線通信を行うようにする必要がある。
【０００７】
その場合に、レンズ装置にケーブルで接続された無線アダプタを架台に装着すると、テレビカメラを架台から迅速に取り外せるようにするという目的に反するため、少なくともレンズ装置側の無線アダプタはレンズ装置に設置しておかなければならない。
【０００８】
しかしながら、レンズ装置には無線アダプタを設置するスペースが確保されておらず、レンズ装置のどの部分に取り付けるかが問題となる。また、カメラマンの撮影操作の邪魔にならないような場所に設置する必要がある。
【０００９】
本発明はこのような事情に鑑みてなされたもので、レンズ装置（駆動ユニット）と外部機器との間で無線通信を行うための無線アダプタを、従来のレンズ装置でも備えているスペースで、且つ、撮影操作を阻害しないスペースに設置することができるレンズ装置に取り付けられる無線アダプタを提供することを目的とする。
【課題を解決するための手段】
【００１０】
前記目的を達成するために、請求項１に係るレンズ装置に取り付けられる無線アダプタは、カメラ本体の撮像面に被写体像を結像する光学系と、前記光学系の焦点距離を所定倍に変換するエクステンダとからなり、該エクステンダの構成部品を覆うエクステンダ筐体部を備えたレンズ鏡胴と、該レンズ鏡胴に設置され、前記光学系を駆動するために所定の外部機器との間で信号伝送を行うためのコネクタを備えた駆動ユニットと、からなるレンズ装置に取り付けられる無線アダプタであって、前記無線アダプタは、前記駆動ユニットの前記コネクタに接続され、前記駆動ユニットとの間で信号伝送を行うと共に、前記外部機器との間で無線通信を介して信号伝送を行うことにより、前記駆動ユニットと前記外部機器との信号伝送を中継し、前記無線アダプタは、前記エクステンダ筐体部に形成された開口を塞ぐ蓋部材と略同一構造の蓋部と、前記無線通信を行う無線装置とからなり、前記蓋部を前記蓋部材の代わりに前記エクステンダ筐体部に取り付けることによって、前記蓋部が前記開口を塞ぐと共に、前記無線装置が前記エクステンダ筐体部の前記開口の周辺部に配置されるようにした、ことを特徴としている。
【００１１】
本発明によれば、レンズ鏡胴がエクステンダを備えたレンズ装置において、そのエクステンダ筐体部の開口部分に蓋部材の代わりに無線アダプタを取り付けることができるため、従来のレンズ装置が備えているスペースに無線アダプタを設置することができ、また、そのスペースに無線アダプタを設置しても操作リング等の撮影操作を阻害しない。
【００１２】
更に、エクステンダ筐体の蓋部材を取り付けるための蓋部材取付手段を利用して無線アダプタを取り付けるため、レンズ装置側に変更を要せず従来から使用されているレンズ装置に本発明の無線アダプタを取り付けることができる。
【００１３】
請求項２に係るレンズ装置に取り付けられる無線アダプタは、請求項１に係る発明において、前記無線アダプタの構成部品は、前記エクステンダ筐体部の内部となる前記蓋部の裏面側に配備され、前記蓋部は、前記無線通信により送受信される無線信号を透過する性質の部材で形成されることを特徴としている。
【００１４】
本発明は、無線アダプタの構成部品を蓋部の裏面側に配備することによって、無線アダプタをエクステンダ筐体部に取り付けた際に、無線アダプタの構成部品がエクステンダ筐体部の内部に収容するようにした態様である。このとき無線信号を無線アダプタの送受信部で送受信するために蓋部を無線信号を透過する性質の部材で形成するようにしたものである。
【００１５】
請求項３に係るレンズ装置に取り付けられる無線アダプタは、請求項１に係る発明において、前記無線アダプタの構成部品は、前記エクステンダ筐体部の外部となる前記蓋部の表面側に配備されると共に、全体が筐体で覆われ、該筐体の少なくとも一部が前記無線通信により送受信される無線信号を透過する性質の部材で形成されることを特徴としている。
【００１６】
本発明は、無線アダプタの構成部品を蓋部の表面側に配備するようにした態様である。このとき無線アダプタの全体を覆う筐体の少なくとも一部が無線信号を透過する性質の部材で形成される。
【発明の効果】
【００１７】
本発明によれば、レンズ装置（駆動ユニット）と外部機器との間で無線通信を行うための無線アダプタを、従来のレンズ装置でも備えているスペースで、且つ、撮影操作を阻害しないスペースに設置することができる。
【図面の簡単な説明】
【００１８】
【図１】本発明に係る無線アダプタが適用されるレンズ装置を使用したカメラシステムの全体構成を示した外観図。
【図２】レンズコントローラ（外部機器）をレンズ装置のドライブユニットにワイヤレスアダプタを介して接続する場合のレンズシステムの構成を示したブロック図
【図３】図３（Ａ）、（Ｂ）、（Ｃ）は、本発明に係る無線アダプタが使用可能なレンズ装置の上面図、側面図、背面図。
【図４】エクステンダ筐体部の蓋取付部を拡大して示した斜視図であって、ワイヤレスアダプタの非取付時において蓋部材を取り付ける場合の構成を示した斜視図。
【図５】エクステンダ筐体部の蓋取付部を拡大して示した斜視図であって、ワイヤレスアダプタを取り付ける様子を示した斜視図。
【図６】エクステンダ筐体部の蓋取付部を拡大して示した斜視図であって、蓋取付部にワイヤレスアダプタを取り付ける状態を示した斜視図。
【図７】図７（Ａ）、（Ｂ）は、ワイヤレスアダプタの上面図及びＡ−Ａ線断面図
【図８】エクステンダ筐体部の蓋取付部を拡大して示した斜視図であって、蓋取付部に図５乃至図７と異なる他の実施の形態のワイヤレスアダプタを取り付ける状態を示した斜視図。
【発明を実施するための形態】
【００１９】
以下、添付図面に従って本発明に係るレンズ装置に取り付けられる無線アダプタを実施するための形態を詳述する。
【００２０】
図１は、本発明に係る無線アダプタが適用されるレンズ装置を使用したカメラシステムの全体構成を示した外観図である。同図に示すカメラシステムは、放送用又は業務用に用いられるテレビカメラ１０を三脚１２に設置して使用している状態を示している。
【００２１】
三脚１２はテレビカメラ１０を支持する架台であり、地面に立てられる３本の脚を備えた脚部２０の上端部に、雲台２２が固定され、その雲台２２の上面にカメラプレート２４が装着されている。そして、カメラプレート２４の上面にテレビカメラ１０が着脱可能に載置されるようになっている。雲台２２は、パン／チルト機構を備えており、その雲台２２から左右斜め方向に延設されている２本のパン／チルト棒２６、２６（一方のみ図示）を水平方向及び鉛直方向に旋回操作することによって、カメラプレート２４及びカメラプレート２４に載置されたテレビカメラ１０がパン／チルト動作するようになっている。
【００２２】
カメラプレート２４には、テレビカメラ１０のカメラ装置１４を容易に着脱するための固定手段（図示せず）が設けられている。固定手段は、例えば、カメラプレート２４に載置されたカメラ装置１４の底面に係合爪（図示せず）を係合させるようにしたもので、図１に示すスライドスイッチ２４Ａをスライドさせると、係合爪による係合が解除され、テレビカメラ１０をカメラプレート２４から取り外すことができるようになっている。これによれば、テレビカメラ１０をカメラプレート２４に瞬時に着脱することができ、必要なときにテレビカメラ１０をカメラプレート２４から取り外してカメラマンがテレビカメラ１０を直接支持した状態（手で持った状態や肩担ぎの状態）で撮影することができる。尚、テレビカメラ１０を支持する架台は同図のような三脚に限らず、どのようなものであっても本発明の適用は可能である。
【００２３】
テレビカメラ１０は、レンズ交換式のカメラ装置（カメラ本体）１４とレンズ装置１６とから構成されている。同図のカメラ装置１４は、取材等において携帯可能なＥＮＧ(Electric News Gathering)カメラと呼ばれるカメラ装置を示しており、被写体像を電気信号に変換する撮像素子（ＣＣＤ等）、撮像素子から得られた信号に所要の信号処理を施してＮＴＳＣ等の所定方式の映像信号を生成するための信号処理回路、映像信号を外部機器に出力し又は記録メディア（ビデオテープ）に記録する等の処理を行う処理回路が搭載されている。
【００２４】
同図に示すレンズ装置１６は、主にカメラ装置１４のようなＥＮＧカメラにおいて使用されるもので、被写体像を結像するための光学系とその光学系を駆動制御するための制御系とから構成されている。光学系はレンズ鏡胴３０内に配置された各種光学部材によって構成されており、そのレンズ鏡胴３０の後端部が、カメラ装置１４の前面側のマウントに着脱可能に装着されるようになっている。これによって、レンズ鏡胴３０内の光学系によって結像された被写体像が、カメラ装置１４における撮像素子の撮像面に結像されるようになっている。
【００２５】
レンズ鏡胴３０内には、例えば、光軸方向に移動可能に支持されたフォーカスレンズ（群）やズームレンズ（群）が配置されると共に、開閉動作可能に支持された絞りが配置されている。レンズ鏡胴３０の外周部には、フォーカスレンズ、ズームレンズ、絞りの各々に連結された操作リング（フォーカスリング、ズームリング、アイリスリング）が回動可能に設けられており、各々の操作リングの回動に対応してフォーカスレンズ、ズームレンズが光軸方向に移動し、絞りが開閉動作するようになっている。フォーカスレンズが移動すると、光学系の焦点（ピント位置）が変化し、ズームレンズが移動すると光学系の焦点距離が変化し、絞りが開閉動作すると、光学系（像）の明るさが変化する。
【００２６】
レンズ装置１６の制御系は主としてレンズ鏡胴３０の側部に設置されたドライブユニット（駆動ユニット）３２において構成されている。ドライブユニット３２には、上記操作リングの各々に連結されたモータや各モータを制御する制御回路等が搭載されている。そして、それらのモータを駆動することによって各モータで各操作リングを回動させ、レンズ鏡胴３０内のフォーカスレンズ、ズームレンズ、絞りを電動で駆動するようになっている。
【００２７】
また、ドライブユニット３２には、カメラ装置１４が信号伝送可能に接続されると共に、雲台２２の各パン／チルト棒２６、２６に設置されたレンズコントローラ（ズーム操作用のズームデマンド４２のみを図示し、後述のフォーカス操作用のフォーカスデマンド４０は不図示）が信号伝送可能に接続されるようになっている。
【００２８】
ドライブユニット３２の制御回路は、例えば、後述のフォーカスデマンド４０から与えられるフォーカス制御信号に基づいてフォーカスリングに連結されたモータを制御することによって、フォーカス制御信号によって指令された位置に（又は動作速度で）フォーカスレンズを移動させ、ズームデマンド４２から与えられるズーム制御信号に基づいてズームリングに連結されたモータを制御することによって、ズーム制御信号によって指令された動作速度で（又は位置に）ズームレンズを移動させる。また、カメラ装置１４から与えられるアイリス制御信号に基づいてアイリスリングに連結されたモータを制御することによって、アイリス制御信号によって指令された位置（開口度）に絞りを設定する。
【００２９】
尚、各操作リング（フォーカスリング、ズームリング、アイリスリング）は、カメラマンが直接把持した手動力で回動操作することも可能であり、また、通常、ズームレンズ（ズームリング）の動作速度を指示操作するための操作部材がドライブユニット３２に設けられている。従って、テレビカメラ１０を三脚１２から取り外して撮影を行う場合に、フォーカスデマンド４０やズームデマンド４２のようなレンズコントローラを使用しなくても所要のレンズ操作を行うことができる。
【００３０】
ワイヤレスアダプタ５０、５２は、各々、ドライブユニット３２とレンズコントローラ（フォーカスデマンド４０、ズームデマンド４２）に接続されており、ワイヤレスアダプタ５０とワイヤレスアダプタ５２との間で赤外線による双方向の無線通信が行われるようになっている。これにより、ドライブユニット３２とレンズコントローラとの間での信号伝送がワイヤレスアダプタ５０とワイヤレスアダプタ５２との間での無線通信を介して行われるようになっている。
【００３１】
ドライブユニット３２とレンズコントローラには、それらを直接ケーブルで接続してシリアル通信等による信号伝送を行うためのコネクタを備えており、それらのコネクタ間を有線で接続する代わりに、ドライブユニット３２のコネクタにワイヤレスアダプタ５０が接続され、レンズコントローラのコネクタにワイヤレスアダプタ５２が接続されている。
【００３２】
ワイヤレスアダプタ５０は、詳細は後述するが、レンズ鏡胴３０に取り付けられ、ワイヤレスアダプタ５２は、テレビカメラ１０以外の部分、例えば、カメラプレート２４に設置されている。そのため、テレビカメラ１０を三脚から取り外す必要が生じた場合にレンズ装置１６とレンズコントローラ間のケーブルを取り外す作業が不要であり、また、ワイヤレスアダプタ５０、５２がテレビカメラ１０の取り外しに無関係であるため、手間なく且つ迅速にテレビカメラ１０を三脚１２から取り外すことができるようになっている。
【００３３】
尚、ワイヤレスアダプタ５０、５２を用いることによって、有線で互いに接続される従来のレンズ装置１６とレンズコントローラを使用することができ、また、状況に応じてワイヤレスアダプタ５０、５２を使用することなく、従来通り、レンズ装置１６とレンズコントローラとをケーブルで直接接続したシステムを構築することもできる。また、レンズコントローラ側にケーブルで接続されるワイヤレスアダプタ５２は、カメラプレート２４に限らず、パン／チルト棒２６等のテレビカメラ１０以外の所望部分に設置しておくことができる。
【００３４】
図２は、上記のカメラシステムのように、レンズコントローラとしてフォーカスデマンド４０とズームデマンド４２をレンズ装置１６のドライブユニット３２にワイヤレスアダプタ５０、５２を介して接続する場合のレンズシステムの構成を示したブロック図である。
【００３５】
同図に示すようにレンズシステムは、レンズ装置１６のドライブユニット３２にワイヤレスアダプタ５０がケーブルで接続され、フォーカスデマンド４０とズームデマンド４２にワイヤレスアダプタ５２がケーブルで接続されている。
【００３６】
ワイヤレスアダプタ５０は、ＣＰＵ１００、Ｄ／Ａ変換器１０２、シリアルコミュニケーションインターフェース（ＳＣＩ）１０４、赤外線（Ｉｒ）通信部１０６、コネクタ１０８、１１０、１１２を備えている。一方、ワイヤレスアダプタ５２は、ＣＰＵ１２０、Ａ／Ｄ変換器１２２、ＳＣＩ１２４、Ｉｒ通信部１２６、コネクタ１２８、１３０、１３２を備えている。
【００３７】
ワイヤレスアダプタ５０のコネクタ１０８、１１０には、ドライブユニット３２の各コネクタ３２Ａ、３２Ｂがケーブルを介して接続され、ワイヤレスアダプタ５２のコネクタ１２８、１３０には、フォーカスデマンド４０とズームデマンド４２とが接続されている。ドライブユニット３２のコネクタ３２Ａは、本来、フォーカスデマンド４０が直接ケーブルで接続されるコネクタであり、コネクタ３２Ｂは、本来、ズームデマンド４２が直接ケーブルで接続されるコネクタである。
【００３８】
ここで、従来から使用されているフォーカスデマンド４０やズームデマンド４２のようなレンズコントローラには、ドライブユニット３２にアナログ信号で信号伝送を行うアナログ方式のものと、デジタル信号（シリアル通信）により信号伝送を行うデジタル方式のものとがある。これに対して従来から使用されているドライブユニット３２には、アナログ方式のレンズコントローラのみとアナログ信号による信号伝送を行うことができるアナログ方式対応のものと、アナログ方式とデジタル方式のいずれのレンズコントローラとも信号伝送が可能なアナログ／デジタル両方向対応のものがある。アナログ方式とデジタル方式のいずれのレンズコントローラにおいても、また、アナログ方式対応とアナログ／デジタル両方式対応のいずれのドライブユニット３２においても、それらを信号伝送可能に接続するインターフェースのコネクタは同じ機械的仕様（例えばＲＳ４８５規格のコネクタ）のものが使用されている。また、アナログ／デジタル両方式対応のドライブユニット３２では、フォーカスデマンド４０やズームデマンド４２は、アナログ方式であってもデジタル方式であっても同一のコネクタに接続されるようになっており、接続されたレンズコントローラの方式に従って内部的にアナログ方式とデジタル方式の各々に対応する処理に切り替えるようになっている。
【００３９】
ワイヤレスアダプタ５０、５２は、レンズシステムに使用するフォーカスデマンド４０とズームデマンド４２がアナログ方式とデジタル方式のいずれのものであっても、また、ドライブユニット３２がアナログ方式対応とアナログ／デジタル両方式対応のいずれのものであっても図２の形態のように各々のコネクタ１０８、１１０、１２８、１３０にドライブユニット３２のコネクタ３２Ａ（フォーカスデマンド接続用のコネクタ）、３２Ｂ（ズームデマンド接続用のコネクタ）、フォーカスデマンド４０、ズームデマンド４２が接続されるようになっている。
【００４０】
また、ドライブユニット３２には、パソコン（ＰＣ）のようなシリアル通信可能な任意の機器（以下、シリアル通信機器と称す）とシリアル通信を行うためのインターフェースを備えているものがあり、図２の点線で示すコネクタ３２Ｃは、そのようなドライブユニット３２においてシリアル通信機器が接続されるコネクタを示している。このようなインターフェースを備えるドライブユニット３２において、ワイヤレスアダプタ５０のコネクタ１１２にドライブユニット３２のコネクタ３２Ｃをケーブルで接続し、ワイヤレスアダプタ５２のコネクタ１３２に所望のシリアル通信機器４４を接続すれば、ドライブユニット３２とシリアル通信機器４４との間の信号伝送を行うことができるようになっている。尚、以下において、ワイヤレスアダプタ５２のコネクタ１２８、１３０、１３２にケーブルで接続された機器をシリアル通信機器４４を含めてレンズコントローラ（又は外部機器）と称す。
【００４１】
ワイヤレスアダプタ５０、５２のＣＰＵ１００、１２０は、各々、ワイヤレスアダプタ５０、５２の各回路の動作を統括制御すると共に、ワイヤレスアダプタ５０とワイヤレスアダプタ５２との間、ワイヤレスアダプタ５０とドライブユニット３２との間、及び、ワイヤレスアダプタ５２とレンズコントローラとの間での信号伝送を制御し、レンズコントローラとドライブユニット３２との間での信号伝送を中継する。
【００４２】
ワイヤレスアダプタ５０のＣＰＵ１００とドライブユニット３２との間の信号伝送は、ＣＰＵ１００が、後述のようにワイヤレスアダプタ５２を介してレンズコントローラからの出力信号を取得して、レンズコントローラとドライブユニット３２との間で送受信される信号を、ＣＰＵ１００とドライブユニット３２との間で伝送するもので、Ｄ／Ａ変換器１０２を介したアナログ信号による信号伝送と、ＳＣＩ１０４を介したシリアル通信による信号伝送のいずれかによって行われるようになっている。
【００４３】
ドライブユニット３２がアナログ方式対応のものである場合には、ＣＰＵ１００は、ワイヤレスアダプタ５２を介して取得したフォーカスデマンド４０の出力信号をＤ／Ａ変換器１０２に出力してデジタル信号からアナログ信号に変換した後、コネクタ１０８とコネクタ３２Ａの間の伝送線（ケーブル）を通じてドライブユニット３２へと伝送する。同様に、ＣＰＵ１００は、ワイヤレスアダプタ５２を介して取得したズームデマンド４２の出力信号をＤ／Ａ変換器１０２に出力してデジタル信号からアナログ信号に変換した後、コネクタ１１０とコネクタ３２Ｂの間の伝送線（ケーブル）を通じてドライブユニット３２へと伝送する。尚、一般的にアナログ方式のフォーカスデマンド及びズームデマンドと、アナログ方式対応のドライブユニットとの間では、フォーカスデマンド及びズームデマンドからドライブユニットへの信号の送信が行われるのみで、ドライブユニットからフォーカスデマンド及びズームデマンドへの信号の送信が行われないため、ワイヤレスアダプタ５０の構成もこれに従い、ドライブユニット３２がアナログ方式対応のものである場合には、ＣＰＵ１００からドライブユニット３２のコネクタ３２Ａ、３２Ｂへのアナログ信号の伝送のみが行われるようになっている。
【００４４】
一方、ドライブユニット３２がアナログ／デジタル両方式対応のものである場合には、ＣＰＵ１００は、コネクタ１０８とコネクタ３２Ａとの間の伝送線と、コネクタ１１０とコネクタ３２Ｂとの間の伝送線の各々を通じてＳＣＩ１０４とドライブユニット３２（ドライブユニット３２内の図示しないＳＣＩ）との間でシリアル通信の接続を確立させる。そして、ＣＰＵ１００は、フォーカスデマンド４０とドライブユニット３２との間で送受信される信号をコネクタ１０８とコネクタ３２Ａの間の伝送線を通じてＳＣＩ１０４のシリアル通信によりドライブユニット３２との間で双方向に伝送し、フォーカスデマンド４０からの出力信号（出力データ）をＳＣＩ１０４を介してドライブユニット３２に送信し、ドライブユニット３２からの出力信号（出力データ）をＳＣＩ１０４を介して受信する。同様に、ＣＰＵ１００は、ズームデマンド４２とドライブユニット３２との間で送受信される信号をコネクタ１１０とコネクタ３２Ｂの間の伝送線を通じてＳＣＩ１０４のシリアル通信によりドライブユニット３２との間で双方向に伝送し、ズームデマンド４２からの出力信号（出力データ）をＳＣＩ１０４を介してドライブユニット３２に送信し、ドライブユニット３２からの出力信号（出力データ）をＳＣＩ１０４を介して受信する。
【００４５】
尚、上記のようにドライブユニット３２がシリアル通信用のコネクタ３２Ｃを備え、ＰＣ等の任意のシリアル通信機器４４との間で信号伝送を行えるようにする場合には、ワイヤレスアダプタ５０のコネクタ１１２とドライブユニット３２のコネクタ３２Ｃがケーブルで接続され、ワイヤレスアダプタ５２のコネクタ１３２にシリアル通信機器４４がケーブルで接続される。このとき、ＣＰＵ１００は、コネクタ１１２とコネクタ３２Ｃとの間の伝送線を通じてＳＣＩ１０４とドライブユニット３２との間でシリアル通信の接続を確立させる。そして、ＣＰＵ１００は、シリアル通信機器４４とドライブユニット３２との間で送受信される信号をコネクタ１１２とコネクタ３２Ｃの間の伝送線を通じてＳＣＩ１０４のシリアル通信によりドライブユニット３２との間で双方向に伝送する。このようにワイヤレスアダプタ５０のコネクタ１１２とドライブユニット３２のコネクタ３２Ｃがケーブルで接続した場合には、シリアル通信機器４４を用いない場合であっても、フォーカスデマンド４０及びズームデマンド４２とドライブユニット３２との間での送受信される信号をコネクタ１１２とコネクタ３２Ｃの間の伝送線を通じてシリアル通信により伝送することも可能であり、コネクタ１０８とコネクタ３２Ａの間、及び、コネクタ１１０とコネクタ３２Ｂの間のケーブルの接続やシリアル通信を不要にすることができる。
【００４６】
ワイヤレスアダプタ５０のＣＰＵ１００とワイヤレスアダプタ５２のＣＰＵ１２０との間の信号伝送は、ＣＰＵ１００が上記のようにドライブユニット３２からの出力信号を取得すると共に、ＣＰＵ１２０が、後述のようにレンズコントローラからの出力信号を取得して、レンズコントローラとドライブユニット３２との間で送受信される信号を、ＣＰＵ１００とＣＰＵ１２０との間で伝送するもので、ワイヤレスアダプタ５０、５２の各々に具備されたＩｒ通信部１０６、１２６を介した赤外線通信による信号伝送によって行われるようになっている。
【００４７】
Ｉｒ通信部１０６、１２６の各々には、赤外線信号を空中に送信（放出）する発信部と、空中を伝搬する赤外線信号を受信する受信部とを備えており、Ｉｒ通信部１０６の発信部から送信された赤外線信号がＩｒ通信部１２６の受信部により受信され、Ｉｒ通信部１２６の発信部から送信された赤外線信号がＩｒ通信部１０６の受信部で受信されることにより双方向に信号伝送が行われるようになっている。また、Ｉｒ通信部１０６、１２６には赤外線信号により伝送する信号がＣＰＵ１００、１２０から与えられるようになっており、Ｉｒ通信部１０６、１２６はその信号を赤外線により伝送するための赤外線信号に変換して送信部から送信（放出）すると共に、受信部により受信した赤外線信号を赤外線信号に変換する前の元の信号に復元してＣＰＵ１００、１２０に与えるようになっている。これにより、ＣＰＵ１００とＣＰＵ１２０との間の信号伝送が、Ｉｒ通信部１０６、１２６を介した赤外線通信により行われるようになっている。
【００４８】
そして、ＣＰＵ１００は、ドライブユニット３２からの出力信号をＩｒ通信部１０６に出力し、ＣＰＵ１２０は、レンズコントローラからの出力信号をＩｒ通信部１２６に出力することにより、レンズコントローラとドライブユニット３２との間で送受信される信号が、ＣＰＵ１００とＣＰＵ１２０との間で双方向に伝送され、レンズコントローラからの出力信号がＣＰＵ１００に取得され、ドライブユニット３２からの出力信号がＣＰＵ１２０に取得される。
【００４９】
ワイヤレスアダプタ５２のＣＰＵ１２０とレンズコントローラとの間の信号伝送は、ＣＰＵ１２０が、ワイヤレスアダプタ５０を介してドライブユニット３２からの出力信号を取得して、レンズコントローラとドライブユニット３２との間で送受信される信号を、ＣＰＵ１２０とレンズコントローラとの間で伝送するもので、Ａ／Ｄ変換器１２２を介したアナログ信号による信号伝送と、ＳＣＩ１２４を介したシリアル通信による信号伝送のいずれかによって行われるようになっている。
【００５０】
レンズコントローラであるフォーカスデマンド４０がアナログ方式のものである場合には、ＣＰＵ１２０は、アナログ信号として伝送されるフォーカスデマンド４０からの出力信号をコネクタ１２８を介してＡ／Ｄ変換器１２２に取り込み、アナログ信号からデジタル信号に変換した後にＡ／Ｄ変換器１２２から取得する。
【００５１】
同様に、レンズコントローラであるズームデマンド４２がアナログ方式のものである場合には、ＣＰＵ１２０は、アナログ信号として伝送されるズームデマンド４２からの出力信号をコネクタ１３０を介してＡ／Ｄ変換器１２２に取り込み、アナログ信号からデジタル信号に変換した後にＤ／Ａ変換器１２２から取得する。
【００５２】
一方、フォーカスデマンド４０がデジタル方式のものである場合には、ＣＰＵ１２０は、コネクタ１２８とフォーカスデマンド４０との間の伝送線を通じてＳＣＩ１２４とフォーカスデマンド４０（フォーカスデマンド４０内の図示しないＳＣＩ）との間でシリアル通信の接続を確立させる。そして、ＣＰＵ１２０は、フォーカスデマンド４０とドライブユニット３２との間で送受信される信号をコネクタ１２８とフォーカスデマンド４０の間の伝送線を通じてＳＣＩ１２４のシリアル通信によりフォーカスデマンド４０との間で双方向に伝送し、フォーカスデマンド４０からの出力信号（出力データ）をＳＣＩ１２４を介して受信し、ドライブユニット３２からの出力信号（出力データ）をＳＣＩ１２４を介してフォーカスデマンド４０に送信する。
【００５３】
同様に、ズームデマンド４２がデジタル方式のものである場合には、ＣＰＵ１２０は、コネクタ１３０とズームデマンド４２との間の伝送線を通じてＳＣＩ１２４とズームデマンド４２（ズームデマンド４２内の図示しないＳＣＩ）との間でシリアル通信の接続を確立させる。そして、ＣＰＵ１２０は、ズームデマンド４２とドライブユニット３２との間で送受信される信号をコネクタ１３０とズームデマンド４２の間の伝送線を通じてＳＣＩ１２４のシリアル通信によりズームデマンド４２との間で双方向に伝送し、ズームデマンド４２からの出力信号（出力データ）をＳＣＩ１２４を介して受信し、ドライブユニット３２からの出力信号（出力データ）をＳＣＩ１２４を介してズームデマンド４２に送信する。
【００５４】
更に、シリアル通信機器４４がワイヤレスアダプタ５２のコネクタ１３２に接続された場合には、ＣＰＵ１２０はコネクタ１３２とシリアル通信機器４４との間の伝送線を通じてＳＣＩ１２４とシリアル通信機器４４（シリアル通信機器４４内の図示しないＳＣＩ）との間でシリアル通信の接続を確立させる。そして、ＣＰＵ１２０は、シリアル通信機器４４とドライブユニット３２との間で送受信される信号をコネクタ１３２とシリアル通信機器４４の間の伝送線を通じてＳＣＩ１２４のシリアル通信によりシリアル通信機器４４からの出力信号（出力データ）をＳＣＩ１２４を介して受信し、ドライブユニット３２からの出力信号（出力データ）をＳＣＩ１２４を介してシリアル通信機器４４に送信する。
【００５５】
以上のごとく構成されたワイヤレスアダプタ５０、５２により、フォーカスデマンド４０及びズームデマンド４２等のレンズコントローラ（外部機器）とドライブユニット３２との間での信号伝送が、ワイヤレスアダプタ５０、５２による無線通信を介して行われるようになる。
【００５６】
続いて、上記ワイヤレスアダプタ５０の取付構造に関して説明する。図３（Ａ）、（Ｂ）、（Ｃ）は、レンズ装置１６の上面図、側面図、背面図である。同図に示すレンズ装置１６には、レンズ鏡胴３０の後部に像倍率（ズーム倍率）を１倍と所定倍に切り替えるエクステンダ１５０が配置されており、そのエクステンダ１５０の構成部品の周部全体を覆うエクステンダ筐体部１５２がレンズ鏡胴３０の一部として設けられている。そして、そのエクステンダ筐体部１５２には蓋取付部１５４が設けられている。
【００５７】
蓋取付部１５４は、エクステンダ筐体部１５２に形成された開口に、それを塞ぐ蓋部材が装着される部分であり、その開口は、組立時やメンテナンス時等において内部に配置するエクステンダ１５０の構成部品の挿脱や位置調整などに使用される。本実施の形態のワイヤレスアダプタ５０は、その蓋取付部１５４に取り付けることができるようになっており、レンズ装置１６（レンズ鏡胴３０）に既に備わっているスペースを利用してワイヤレスアダプタ５０を取り付けることができるため、ワイヤレスアダプタ５０を設置するためのスペースをレンズ装置１６等に新たに設ける必要がなく、また、撮影操作を阻害しないスペースにワイヤレスアダプタ５０を設置することができる。
【００５８】
図４、図５、及び、図６は、上記エクステンダ筐体部１５２の蓋取付部１５４を拡大して示した斜視図である。図４に示すように蓋取付部１５４は、四角形状の開口１５６を有し、本来（ワイヤレスアダプタ５０の非取付時）は、同図に示す一枚の板状の蓋部材１５８が開口１５６を塞ぐように取り付けられるようになっている。
【００５９】
即ち、図４に示すようにエクステンダ筐体部１５２には、開口１５６の周縁部の対向する２箇所に突片１６０、１６０が突出配置されており、それらの突片１６０、１６０にはネジ孔１６０Ａ、１６０Ａが形成されている。
【００６０】
一方、蓋部材１５８は、開口１５６の形状と略一致しており、突片１６０、１６０に当接する位置まで嵌め込むと、略隙間なく開口１５６が塞がれるようになっている。そして、蓋部材１５８には、突片１６０、１６０のネジ孔１６０Ａ、１６０Ａに連通する位置にネジ挿通孔１５８Ａ、１５８Ａが形成されており、ネジ１６２、１６２をそれらのネジ挿通孔１５８Ａ、１５８Ａに挿通させて突片１６０、１６０のネジ孔１６０Ａ、１６０Ａに締め込むことによって蓋部材１５８がエクステンダ筐体部１５２（蓋取付部１５４）に固定されるようになっている。
【００６１】
一方、図２のようにワイヤレスアダプタ５０を使用する場合において、本実施の形態のワイヤレスアダプタ５０は、図４の蓋部材１５８を蓋取付部１５４に取り付ける構造（蓋部材取付手段）を利用して、図５、図６に示すように図４の蓋部材１５８の代わりに、蓋取付部１５４に取り付けることができるようになっている。
【００６２】
図５に示すようにワイヤレスアダプタ５０は、構成部品を内部に収容するアダプタ筐体１７０で覆われている。図７（Ａ）は、ワイヤレスアダプタ５０の上面図であり、図７（Ｂ）は、図７（Ａ）に示されたＡ−Ａ線断面を示しており、アダプタ筐体１７０の内部には、図２に示した各構成部の回路部品等が実装された回路基板１７３、Ｉｒ通信部１０６の赤外線信号を発信（放出）する発信部１７４、赤外線信号を受信する受信部１７６等が収容保持されている。
【００６３】
ワイヤレスアダプタ５０のアダプタ筐体１７０の上壁部（蓋部１７２）は、図４に示した蓋部材１５８と略同一形状で形成されており、図７（Ｂ）のように断面が２つの扇型の壁面を繋ぎ合わせた形状を有すると共に、図５、図７（Ａ）に示すように、蓋部材１５８と同じ位置にネジを挿通するネジ挿通孔１７８、１７８が形成されている。即ち、アダプタ筐体１７０は、蓋部材１５８と略同一構造を有する部分として蓋部１７２を備えている。また、図７（Ｂ）に示すようにアダプタ筐体１７０の側壁部１８０、１８２は、ネジ挿通孔１７８、１７８よりも内側となる位置で蓋部１７２に固着されている。
【００６４】
従って、図５に示すようにエクステンダ筐体部１５２の開口１５６にワイヤレスアダプタ５０のアダプタ筐体１７０を下面側から挿入すると、蓋部１７２が開口１５６に突出配置された突片１６０、１６０に当接する位置まで進入し、蓋部１７２によって略隙間なく開口１５６が塞がれるようになっている。そして、蓋部材１５８を取り付ける場合と同様に、ネジ１６２、１６２を蓋部１７２のネジ挿通孔１７８、１７８に挿通させて突片１６０、１６０のネジ孔１６０Ａ、１６０Ａに締め込むことによって蓋部材１５８がエクステンダ筐体部１５２（蓋取付部１５４）に固定される。これによって、図６に示すようにワイヤレスアダプタ５０がエクステンダ筐体部１５２の蓋取付部１５４に取り付けられると共に、ワイヤレスアダプタ５０のアダプタ筐体１７０の蓋部１７２が開口１５６を塞ぐ蓋部材として兼用されるようになっている。尚、アダプタ筐体１７０の蓋部１７２はエクステンダ筐体部１５２の開口１５６を塞ぐ蓋部材を兼ねるために図５のような湾曲形状で形成されているが、その形状自体に特別の意味はなく、エクステンダ筐体部１５２の表面形状（本来の蓋部材１５８の形状）に応じてアダプタ筐体１７０の蓋部１７２の形状も異なる。
【００６５】
また、アダプタ筐体１７０の蓋部１７２の裏面側（アダプタ筐体１７０の内部側）の近傍には、図６、図７に示すようにＩｒ通信部１０６の赤外線信号を発信（放出）する発信部１７４と赤外線信号を受信する受信部１７６が配置されており、蓋部１７２は、赤外線の波長領域の光を透過する部材により形成されている。これにより、Ｉｒ通信部１０６の発信部１７４から放出された赤外線信号が蓋部１７２を介してアダプタ筐体１７０の外部に放出されると共に、ワイヤレスアダプタ５２から放出された赤外線信号が、蓋部１７２を介してアダプタ筐体１７０内に進入し、Ｉｒ通信部１０６の受信部１７６で受信されるようになっている。
【００６６】
更に、ワイヤレスアダプタ５０のアダプタ筐体１７０の蓋部１７２には、図５、図６、図７に示すように、図２に示したコネクタ１０８、１１０、１１２が設けられており、使用するコネクタがドライブユニット３２のコネクタ３２Ａ、３２Ｂ、３２Ｃにケーブルで接続されるようになっている。このとき、例えば、図３（Ｃ）及び図６に示すようにケーブル両端のコネクタのうち一方が蓋部１７２のコネクタ（同図ではコネクタ１１２）に装着され、そのコネクタからのケーブル１９０がエクステンダ筐体部１５２の上側外周面に沿って反対側のドライブユニット３２の後端下側付近まで配線され、ドライブユニット３２の後端下側付近に設けられたコネクタ（コネクタ１１２に接続されるコネクタ３２Ｃ）にケーブルの他方のコネクタが装着される。従って、レンズ鏡胴３０に設けられた操作リングの回動操作等を阻害しないようにワイヤレスアダプタ５０とドライブユニット３２とを接続するケーブルを配線することができる。
【００６７】
以上のワイヤレスアダプタ５０の取付構造によれば、レンズ装置１６（レンズ鏡胴３０）のエクステンダ筐体部１５２の蓋取付部１５４のスペースや取付構造を利用してワイヤレスアダプタ５０を取り付けることができるため、ワイヤレスアダプタ５０を取り付けるための特別なスペースや構造をレンズ装置１６に新たに設ける必要がなく、従来のレンズ装置１６にも本実施の形態のワイヤレスアダプタ５０を装着することができる。また、撮影操作を阻害しないスペースにワイヤレスアダプタ５０を設置することができるようになる。
【００６８】
以上、上記実施の形態では、ワイヤレスアダプタ５０の蓋部１７２の裏面側、即ち、エクステンダ筐体部１５２の内部となる面側に、ワイヤレスアダプタ５０の構成部品を配置するようにしたが、これに限らない。例えば、図８に示すように、図４の本来の蓋部材１５８と略同一形状に形成され、蓋部材１５８と同様にネジ挿通孔２０４、２０４を有する蓋部２００を、ネジ１６２、１６２によりエクステンダ筐体部１５２の開口１５６（蓋取付部１５４）に取り付けると共に、その蓋部２００の表面側、即ち、エクステンダ筐体部１５２の外部となる面側にワイヤレスアダプタ５０の構成部品を配置してもよい。この場合に、ワイヤレスアダプタ５０の構成部品は、蓋部２００とその表面側に固着された壁部とからなるアダプタ筐体２０２によって囲まれ、上記Ｉｒ通信部１０６の発信部１７４と受信部１７６は例えばアダプタ筐体２０２の上壁部２０２Ａの裏面側近傍に配置される。そして、アダプタ筐体２０２のうち、少なくとも上壁部２０２Ａが赤外線を透過する部材で形成される。また、図２に示したコネクタ１０８、１１０、１１２は、例えばアダプタ筐体２０２の側壁部に設けられる。
【００６９】
また、上記実施の形態では、ワイヤレスアダプタ５０とワイヤレスアダプタ５２との間で赤外線を使用して無線通信を行うようにしたが、他の波長領域の電波を使用しようして無線通信を行うものであってもよく、また、通信方式もどのようなものであってもよい。
【００７０】
また、上記実施の形態では、ドライブユニット３２側にワイヤレスアダプタ５０を接続すると共に、レンズコントローラ（外部機器）側にワイヤレスアダプタ５２を接続することによって無線通信を介して信号伝送を行えるようにしたが、外部機器側において無線通信を可能にするための構成はこれに限らず、どのような態様であってもよい。例えば、外部機器が無線通信機能を搭載している場合であってもよい。
【００７１】
また、上記実施の形態では、図４に示したように蓋部材１５８のネジ挿通孔１５８Ａ、１５８Ａにネジ１６２、１６２を挿通させてエクステンダ筐体部１５２の突片１６０、１６０に締め込むことによってエクステンダ筐体部１５２の開口１５６（蓋取付部１５４）に蓋部材１５８を取り付ける構造となっている場合を示したが、蓋取付部１５４に蓋部材１５８を取り付ける構造がこれと相違する場合であっても本発明を適用できる。即ち、ワイヤレスアダプタ５０において、蓋部材１５８と同一構造を有する蓋部を設け、その蓋部によってエクステンダ筐体部１５２の蓋取付部１５４にワイヤレスアダプタ５０を取り付けるようにすればよい。
【符号の説明】
【００７２】
１０…テレビカメラ、１２…三脚、１４…カメラ装置、１６…レンズ装置、３０…レンズ鏡胴、３２…ドライブユニット、４０…フォーカスデマンド、４２…ズームデマンド、５０、５２…ワイヤレスアダプタ、１００、１２０…ＣＰＵ、１０２…Ｄ／Ａ変換器、１０４、１２４…ＳＣＩ、１０６、１２６…赤外線通信部、３２Ａ、３２Ｂ、３２Ｃ、１０８、１１０、１１２、１２８、１３０、１３２…コネクタ、１２２…Ａ／Ｄ変換器、１５０…エクステンダ、１５２…エクステンダ筐体部、１５４…蓋取付部、１５６…開口、１５８…蓋部材、１７０、２０２…アダプタ筐体、１７２、２００…蓋部、１７４…発信部、１７６…受信部、１７８…ネジ挿通孔
【図１】
0005443278.tif 000002
【図２】
0005443278.tif 000003
【図３】
0005443278.tif 000004
【図４】
0005443278.tif 000005
【図５】
0005443278.tif 000006
【図６】
0005443278.tif 000007
【図７】
0005443278.tif 000008
【図８】
0005443278.tif 000009